(57)【特許請求の範囲】
【請求項１】
コンクリート等の構造物の構築部分を横断する如く配設されるフレーム部と、該フレーム部の横断方向両側部の底部に設けられた走行部と、を含んで構成される自走式ベースマシンと、
前記ベースマシンに装備される舗装材料側方供給装置であって、舗装材料投入部が前記構造物の構築部分の外側方に位置される舗装材料受け入れポッパと、舗装材料排出部が前記構造物の構築部分に位置されるコンベアベルトと、を備えたコンベアフレームを含んで構成される舗装材料側方供給装置と、
前記ベースマシンに装備され、前記舗装材料側方供給装置によって供給された舗装材料を拡散する舗装材料拡散オーガーと、
前記オーガーと一体に設けられて、前記舗装材料を敷均すスクリードと、
を含んで構成され、
舗装材料運搬車両からの舗装材料を側方から横取りし、これを敷き均す舗装材料の横取り敷均し装置において、
前記舗装材料側方供給装置を、前記ベースマシンに対して着脱可能、かつ該ベースマシンの前記構造物の構築部分を間に挟んだ左右両側部に選択的に装着可能に構成すると共に、
前記コンベアフレームの舗装材料受け入れポッパを、前記コンベアベルトとの境部において略鉛直方向に折り畳み可能に構成した
ことを特徴とする舗装材料の横取り敷均し装置。
【請求項２】
前記コンベアフレームにおける舗装材料受け入れポッパの舗装材料投入部は、前記ベースマシンの前記構造物の構築部分を間に挟んだ左右両側部夫々において、前記舗装材料受け入れポッパの延びる方向と直交する前後両側部位置から舗装材料を投入可能に構成された
ことを特徴とする請求項１記載の舗装材料の横取り敷均し装置。
【請求項３】
前記舗装材料受け入れポッパには、舗装材料のこぼれ止め部が設けられ、該こぼれ止め部は、舗装材料受け入れポッパの前後両側縁部夫々に対して着脱可能、かつ該左右両側縁部に選択的に装着可能に構成されたこぼれ止め部材からなる
ことを特徴とする請求項２記載の舗装材料の横取り敷均し装置。
【請求項４】
コンクリート等の構造物の構築部分を横断する如く配設されるフレーム部と、該フレーム部の横断方向両側部の底部に設けられた走行部と、を含んで構成される自走式ベースマシンと、
前記ベースマシンに装備される舗装材料側方供給装置であって、舗装材料投入部が前記構造物の構築部分の外側方に位置される舗装材料受け入れポッパと、舗装材料排出部が前記構造物の構築部分に位置されるコンベアベルトと、を備えたコンベアフレームを含んで構成される舗装材料側方供給装置と、
前記ベースマシンに装備され、前記舗装材料側方供給装置によって供給された舗装材料を拡散する舗装材料拡散オーガーと、
前記オーガーと一体に設けられて、前記舗装材料を敷均すスクリードと、
を含んで構成され、
舗装材料運搬車両からの舗装材料を側方から横取りし、これを敷き均す舗装材料の横取り敷均し装置において、
前記舗装材料側方供給装置を、前記ベースマシンに対して着脱可能、かつ該ベースマシンの前記構造物の構築部分を間に挟んだ左右両側部に選択的に装着可能に構成し、
前記コンベアフレームにおける舗装材料受け入れポッパの舗装材料投入部を、前記ベースマシンの前記構造物の構築部分を間に挟んだ左右両側部夫々において、前記舗装材料受け入れポッパの延びる方向と直交する前後両側部位置から舗装材料を投入可能に構成すると共に、
前記舗装材料受け入れポッパに、該舗装材料受け入れポッパの前後両側縁部夫々に対して着脱可能、かつ該左右両側縁部に選択的に装着可能に構成されたこぼれ止め部材からなる舗装材料のこぼれ止め部を設けた
ことを特徴とする舗装材料の横取り敷均し装置。
【請求項５】
前記コンベアフレームは、前記ベースマシンのフレーム部に対してスライド可能に装着されて、該フレーム部内側に格納可能に構成された
ことを特徴とする請求項４記載の舗装材料の横取り敷均し装置。
【発明の詳細な説明】
【０００１】
【発明の属する技術分野】
本発明は、コンクリート等の構造物を構築する際に、ダンプトラック等からの生コンクリート等の舗装材料を側方から横取りし、これを敷き均す舗装材料の横取り敷均し装置に関し、特に、その使用性を向上する技術に関する。
【０００２】
【従来の技術】
従来、同一断面の連続したコンクリート構造物を構築するために、締固め装置と成型装置を備えた自走式施工装置を用い、コンクリートを所定の形状に締固め、成型しながら、連続的にコンクリート構造物を構築するスリップフォーム工法が知られている。
【０００３】
この場合、ダンプトラック等からの生コンクリートを側方から横取りし、これを敷き均すためのコンクリートの横取り敷均し装置、均したコンクリートを締固めて成型仕上げする成型機、表面仕上げと養生剤の散布を受け持つ仕上げ機の３台が１セットとなって施工を行う。
【０００４】
【発明が解決しようとする課題】
上述したコンクリートの横取り敷均し装置は、図９に示すように、コンクリート構造物の構築部分１を横断する如く配設されるフレーム部２と、該フレーム部２の横断方向両側部の底部に設けられた走行部３と、を含んで構成される自走式ベースマシン４と、ベースマシン４に装備されるコンクリート側方供給装置（ベルトプレーサ）５であって、コンクリート投入部がコンクリート構造物の構築部分１の外側方に位置されるコンクリート受け入れポッパ６とコンクリート排出部がコンクリート構造物の構築部分１に位置されるコンベアベルト７とを備えたコンベアフレーム８を含んで構成されるベルトプレーサ５と、ベースマシン４に装備されて、ベルトプレーサ５によって供給された舗装材料を拡散するコンクリート拡散オーガー９と、該オーガー９と一体に設けられて、前記舗装材料を敷均すスクリード（図示せず）と、から構成されている。
【０００５】
しかし、従来のコンクリートの横取り敷均し装置にあっては、ベースマシン４に対するベルトプレーサ５の位置は、予め決まっており、ベルトプレーサ５のコンクリート受け入れポッパ６に対するダンプトラック１０の位置はある決められた位置となっていて、変更ができない構成である。
即ち、ベルトプレーサ５は、ベースマシン４のコンクリート構造物の構築部分１を間に挟んだ左右両側部のうち一方にしか装着できず、コンベアフレーム８におけるコンクリート受け入れポッパ６のコンクリート投入部は、コンクリート受け入れポッパ６を間に挟んだ前後両側部位置のうちの一方からしかコンクリートを投入できない。
【０００６】
例えば、ベースマシン４に対するコンクリート受け入れポッパ６、コンベアフレーム８の位置が図９に示すように決められている場合、コンクリート受け入れポッパ６に対するダンプトラック１０の位置は、図示した位置となる。
このため、一旦ベースマシン４に対するベルトプレーサ５の位置が決められてしまうと、図９に示すように、現在のダンプトラック１０の走行路Ａ，ダンプトラックの他の進入方向ａに対して、他の走行路Ｂやダンプトラックの他の進入方向ｂを適用できず、作業上不便なことこのうえなく、作業効率的に不利であるという問題がある。
【０００７】
本発明は、以上のような従来の実情に鑑みてなされたもので、ベースマシンに対する舗装材料側方供給装置（ベルトプレーサ）の装着位置が可変であると共に、舗装材料受け入れポッパの舗装材料投入部に対するダンプトラック等からの舗装材料投入方向が可変であり、ダンプトラック等の走行路やダンプトラック等の進入方向が一義的に決まらず、自由に変更し得えて、作業上便利で、作業効率的に有利な舗装材料の横取り敷均し装置を提供することを目的とする。
【０００８】
【課題を解決するための手段】
上記の目的を達成するため、請求項１に係る発明は、
コンクリート等の構造物の構築部分を横断する如く配設されるフレーム部と、該フレーム部の横断方向両側部の底部に設けられた走行部と、を含んで構成される自走式ベースマシンと、
前記ベースマシンに装備される舗装材料側方供給装置であって、舗装材料投入部が前記構造物の構築部分の外側方に位置される舗装材料受け入れポッパと、舗装材料排出部が前記構造物の構築部分に位置されるコンベアベルトと、を備えたコンベアフレームを含んで構成される舗装材料側方供給装置と、
前記ベースマシンに装備され、前記舗装材料側方供給装置によって供給された舗装材料を拡散する舗装材料拡散オーガーと、
前記オーガーと一体に設けられて、前記舗装材料を敷均すスクリードと、
を含んで構成され、
舗装材料運搬車両からの舗装材料を側方から横取りし、これを敷き均す舗装材料の横取り敷均し装置において、
前記舗装材料側方供給装置を、前記ベースマシンに対して着脱可能、かつ該ベースマシンの前記構造物の構築部分を間に挟んだ左右両側部に選択的に装着可能に構成すると共に、
前記コンベアフレームの舗装材料受け入れポッパを、前記コンベアベルトとの境部において略鉛直方向に折り畳み可能に構成した
ことを特徴とする。
【０００９】
請求項２に係る発明は、
前記コンベアフレームにおける舗装材料受け入れポッパの舗装材料投入部は、前記ベースマシンの前記構造物の構築部分を間に挟んだ左右両側部夫々において、前記舗装材料受け入れポッパの延びる方向と直交する前後両側部位置から舗装材料を投入可能に構成された
ことを特徴とする。
【００１０】
請求項３に係る発明は、
前記舗装材料受け入れポッパには、舗装材料のこぼれ止め部が設けられ、該こぼれ止め部は、舗装材料受け入れポッパの前後両側縁部夫々に対して着脱可能、かつ該左右両側縁部に選択的に装着可能に構成されたこぼれ止め部材からなる
ことを特徴とする。
【００１１】
請求項４に係る発明は、
コンクリート等の構造物の構築部分を横断する如く配設されるフレーム部と、該フレーム部の横断方向両側部の底部に設けられた走行部と、を含んで構成される自走式ベースマシンと、
前記ベースマシンに装備される舗装材料側方供給装置であって、舗装材料投入部が前記構造物の構築部分の外側方に位置される舗装材料受け入れポッパと、舗装材料排出部が前記構造物の構築部分に位置されるコンベアベルトと、を備えたコンベアフレームを含んで構成される舗装材料側方供給装置と、
前記ベースマシンに装備され、前記舗装材料側方供給装置によって供給された舗装材料を拡散する舗装材料拡散オーガーと、
前記オーガーと一体に設けられて、前記舗装材料を敷均すスクリードと、
を含んで構成され、
舗装材料運搬車両からの舗装材料を側方から横取りし、これを敷き均す舗装材料の横取り敷均し装置において、
前記舗装材料側方供給装置を、前記ベースマシンに対して着脱可能、かつ該ベースマシンの前記構造物の構築部分を間に挟んだ左右両側部に選択的に装着可能に構成し、
前記コンベアフレームにおける舗装材料受け入れポッパの舗装材料投入部を、前記ベースマシンの前記構造物の構築部分を間に挟んだ左右両側部夫々において、前記舗装材料受け入れポッパの延びる方向と直交する前後両側部位置から舗装材料を投入可能に構成すると共に、
前記舗装材料受け入れポッパに、該舗装材料受け入れポッパの前後両側縁部夫々に対して着脱可能、かつ該左右両側縁部に選択的に装着可能に構成されたこぼれ止め部材からなる舗装材料のこぼれ止め部を設けた
ことを特徴とする。
【００１２】
請求項５に係る発明は、
前記コンベアフレームは、前記ベースマシンのフレーム部に対してスライド可能に装着されて、該フレーム部内側に格納可能に構成された
ことを特徴とする。
【００１３】
【発明の実施の形態】
以下、本発明の実施形態を図面に基づいて説明する。
図１及び図２は、夫々本発明に係る舗装材料の横取り敷均し装置の一実施形態の概略構造を示す正面図及び平面図、図３及び図４は、夫々その詳細構造を示す正面図及び平面図である。
【００１４】
これらの図において、舗装材料としてのコンクリートの横取り敷均し装置は、自走式ベースマシン１０と、該ベースマシン１０に装備されるコンクリート側方供給装置（ベルトプレーサ）１１と、ベースマシン１０に装備されるコンクリート拡散オーガー１２と、該オーガー１２と一体に設けられて、前記舗装材料を敷均すスクリード１２Ａと、を含んで構成される。
【００１５】
前記自走式ベースマシン１０は、コンクリート構造物の構築部分１３を横断する如く配設されるフレーム部１４と、該フレーム部１４の横断方向両側部の底部に設けられた走行部２２と、を含んで構成される。
フレーム部１４のメインフレーム１４Ａは、所定幅の舗装に対するテレスコープ式エキステンション構造で、その幅が可変になっている。
【００１６】
尚、自走式ベースマシン１０には、エンジン、油圧システム、操向及びレベリングシステム等も装備されている。
前記ベルトプレーサ１１は、コンクリート投入部がコンクリート構造物の構築部分１３の外側方に位置されるコンクリート受け入れポッパ１５と、コンクリート排出部がコンクリート構造物の構築部分１３側に位置されるコンベアベルト１６とを備えたコンベアフレーム１７を含んで構成される。
【００１７】
又、ベルトプレーサ１１には、コンベアベルト１６の油圧駆動装置が設けられている。
かかる構成のコンクリートの横取り敷均し装置は、コンクリート運搬車両としての例えばダンプトラック１８からのコンクリートを側方から横取りし、これを敷き均す。
【００１８】
ここで、本構成においては、ベルトプレーサ１１を、ベースマシン１０に対して着脱可能、かつ該ベースマシン１０のコンクリート構造物の構築部分１３を間に挟んだ左右両側部に選択的に装着可能に構成する。
又、コンベアフレーム１７におけるコンクリート受け入れポッパ１５のコンクリート投入部を、ベースマシン１０のコンクリート構造物の構築部分１３を間に挟んだ左右両側部夫々において、コンクリート受け入れポッパ１５を間に挟んだ前後両側部位置から選択的にコンクリートを投入可能に構成する。
【００１９】
この場合、コンクリート受け入れポッパ１５には、図７に示すように、コンクリートのこぼれ止め部が設けられるが、これを、コンクリート受け入れポッパ１５の前後両側縁部夫々に対してボルト・ナット等の締結具２０によって着脱可能、かつ該左右両側縁部に選択的に装着可能に構成されたこぼれ止め部材１９から構成することによって、コンクリート受け入れポッパ１５のコンクリート投入部が、前後両側部位置の一方に選択変更可能になる。
【００２０】
更に、コンベアフレーム１７は、図５に示すように、コンクリート受け入れポッパ１５とコンベアベルト１６との境部において折曲可能で、該コンクリート受け入れポッパ１５が略鉛直方向に折り畳み可能に構成されている。
尚、コンベアフレーム１７を、図６に示すように、ベースマシン１０のフレーム部１４に対してスライド可能に装着して、該フレーム部１４内側に格納可能に構成するようにしても良い。
【００２１】
かかる構成によると、ベルトプレーサ１１は、ベースマシン１０のコンクリート構造物の構築部分１３を間に挟んだ左右両側部の両方に選択的に装着でき、コンベアフレーム１７におけるコンクリート受け入れポッパ１５のコンクリート投入部は、コンクリート受け入れポッパ１５を間に挟んだ前後両側部位置の両方から選択的にコンクリートを投入できる構成であるため、例えば、図２の実線で示すベースマシン１０に対するコンベアフレーム１７の位置に対して、同図の点線で示すようなコンベアフレーム１７の位置にも変更することができる。
【００２２】
又、例えば、図２の実線で示すダンプトラック１８の進入方向に対して、同図の点線で示す進入方向に変更することができる。
このため、図２において、ダンプトラック１８の走行路Ａ、ダンプトラック１０の進入方向ａに代えて、他の走行路Ｂやダンプトラック１８の他の進入方向ｂ，ｃ，ｄを適用でき、作業上便利であると共に、作業効率的に有利である。
【００２３】
特に、図８に示すように、所定の舗装幅の複数のコンクリート構造物２１を順に構築する場合、ベルトプレーサ１１を、ベースマシン１０のコンクリート構造物の構築部分２１を間に挟んだ左右両側部の両方に選択的に装着して使用し、ダンプトラック１８（矢印はダンプトラック進入方向）からコンクリート受け入れポッパ１５の左右両側から選択的にコンクリートを投入するようにすれば、作業を容易に行うことができる。
【００２４】
又、コンベアフレーム１７は、コンクリート受け入れポッパ１５とコンベアベルト１６との境部において折曲可能で、該コンクリート受け入れポッパ１５が略鉛直方向に折り畳み可能に構成されるか、或いは、ベースマシン１０のフレーム部１４に対してスライド可能に装着されて、該フレーム部１４内側に格納可能に構成されているため、作業終了後は、コンベアフレーム１７を外側方に張り出すことなく格納でき、ベースマシン１０の移動をスムーズに行うことができる。
【００２５】
【発明の効果】
以上説明したように、請求項１又は４に係る発明によれば、舗装材料運搬車両からの舗装材料を側方から横取りし、これを敷き均す舗装材料の横取り敷均し装置において、舗装材料側方供給装置を、ベースマシンに対して着脱可能、かつ該ベースマシンの前記構造物の構築部分を間に挟んだ左右両側部に選択的に装着可能に構成したから、ダンプトラック等の走行路が一義的に決まらず、自由に変更し得えて、作業上便利で、作業効率的に有利な舗装材料の横取り敷均し装置を提供することができる。
このとき、請求項１に係る発明では、コンベアフレームの舗装材料受け入れポッパを、コンベアベルトとの境部において略鉛直方向に折り畳み可能に構成したから、コンベアフレームを外側方に張り出すことなく格納でき、ベースマシンの移動をスムーズに行うことができる。また、請求項４に係る発明では、前記舗装材料側方供給装置を、前記ベースマシンに対して着脱可能、かつ該ベースマシンの前記構造物の構築部分を間に挟んだ左右両側部に選択的に装着可能に構成し、前記コンベアフレームにおける舗装材料受け入れポッパの舗装材料投入部を、前記ベースマシンの前記構造物の構築部分を間に挟んだ左右両側部夫々において、前記舗装材料受け入れポッパの延びる方向と直交する前後両側部位置から舗装材料を投入可能に構成すると共に、前記舗装材料受け入れポッパに、該舗装材料受け入れポッパの前後両側縁部夫々に対して着脱可能、かつ該左右両側縁部に選択的に装着可能に構成されたこぼれ止め部材からなる舗装材料のこぼれ止め部を設けたから、ダンプトラック等の進入方向を自由に変更することができる。
【００２６】
請求項２に係る発明によれば、請求項３に係る発明の如く、舗装材料受け入れポッパの舗装材料こぼれ止め部を、舗装材料受け入れポッパの前後両側縁部夫々に対して着脱可能、かつ該左右両側縁部に選択的に装着可能に構成したこぼれ止め部材から構成する等して、コンベアフレームにおける舗装材料受け入れポッパの舗装材料投入部を、ベースマシンの前記構造物の構築部分を間に挟んだ左右両側部夫々において、前記舗装材料受け入れポッパの延びる方向と直交する前後両側部位置から舗装材料を投入可能に構成したから、ダンプトラック等の進入方向が一義的に決まらず、自由に変更し得えて、作業上便利で、作業効率的に有利な舗装材料の横取り敷均し装置を提供することができる。
【００２７】
請求項５に係る発明によれば、コンベアフレームを、ベースマシンのフレーム部に対してスライド可能に装着されて、該フレーム部内側に格納可能に構成したから、コンベアフレームを外側方に張り出すことなく格納でき、ベースマシンの移動をスムーズに行うことができる。
【図面の簡単な説明】
【図１】  本発明に係る舗装材料の横取り敷均し装置の一実施形態の概略構造を示す正面図
【図２】  その平面図
【図３】  本発明に係る舗装材料の横取り敷均し装置の一実施形態の詳細構造を示す正面図
【図４】  その平面図
【図５】  コンベアフレームの折曲構造を示す正面図
【図６】  コンベアフレームの格納構造を示す正面図
【図７】  コンクリートこぼれ止め部材の着脱構造を示す側面図
【図８】  本発明の実施形態の効果を説明する概略平面図
【図９】  従来のコンクリートの横取り敷均し装置の一例の構造を示す斜視図
【符号の説明】
１０  自走式ベースマシン
１１  コンクリート側方供給装置（ベルトプレーサ）
１２  コンクリート拡散オーガー
１２Ａ  スクリード
１３  コンクリート構造物の構築部分
１４  フレーム部
１５  コンクリート受け入れポッパ
１６  コンベアベルト
１７  コンベアフレーム
１８  ダンプトラック
１９  こぼれ止め部材
２２  走行部
【図１】
0003949258.tif 000002
【図２】
0003949258.tif 000003
【図３】
0003949258.tif 000004
【図４】
0003949258.tif 000005
【図５】
0003949258.tif 000006
【図６】
0003949258.tif 000007
【図７】
0003949258.tif 000008
【図８】
0003949258.tif 000009
【図９】
0003949258.tif 000010